(57)【要約】【課題】安定した加熱パワーが得られ、振動や異音の少ない炊飯器を提供する。【解決手段】炊飯器本体１０１に着脱自在に内挿可能な鍋１０２と、鍋１０２の下方部分を収容する保護枠１０３を備え、鍋１０２を誘導加熱する加熱コイル１０４と、加熱コイル１０４より発生する磁束の炊飯器本体１０１外への漏洩を低減すると共に非磁性体金属にて形成された防磁板１０８を、保護枠１０３に一体成型してなるもので、加熱コイル１０４と防磁板１０８の間隔を一定に保つことが可能となり、鍋１０２に安定した加熱パワーを与えることができる。また防磁板１０８が保護枠１０３に一体成型されることにより無駄ながたがないため、微振動や異音等も防止することができる。また、従来のように人手で保護枠１０３に防磁板１０８を組み込む作業がないためコスト低減にも繋がる。【選択図】図１
2013009883.tif 000002
【特許請求の範囲】
【請求項１】
炊飯器本体に着脱自在に内挿可能な鍋と、前記鍋の下方部分を収容する保護枠を備え、前記鍋を誘導加熱する加熱コイルと、前記加熱コイルより発生する磁束の前記炊飯器本体外への漏洩を低減すると共に非磁性体金属にて形成された防磁板を、前記保護枠に一体成型してなることを特徴とする炊飯器。
【発明の詳細な説明】
【技術分野】
【０００１】
本発明は、電磁誘導による高出力で調理物を加熱する炊飯器に関するものである。
【背景技術】
【０００２】
従来、この種の電磁誘導式の炊飯器は、鍋内の米と水を加熱するために鍋底部に配置した鍋加熱手段が主であり、鍋の下方に配設した加熱コイルに通電することにより発生する渦電流で、鍋自体を加熱させて、鍋内の調理物を加熱する方法が一般的である。また、通電中に炊飯器の本体外へ磁束が漏洩するのを防ぐため、加熱コイルの側外方に防磁板を設置することが一般的に行われていた（例えば、特許文献１参照）。
【０００３】
図２は、上記特許文献１に記載された従来の炊飯器の断面図である。
【０００４】
図２において、本体１内に着脱自在の鍋２を内装し、鍋２の下方部を収納すると共に耐熱性樹脂で構成された保護枠２３を有し、前記保護枠２３の下面には、鍋２を加熱する加熱コイル１３を配設してある。前記加熱コイル１３の側外方位置には、帯状のアルミニウム板を略環状にした防磁板２２を配置してあり、防磁板２２は、前記保護枠２３の外周にある複数のリブ（図示せず）間に嵌合して固定されるようになっている。
【０００５】
従来の炊飯器は、以上のような構成で、加熱コイル１３によって鍋２を加熱し、米・水の調理物を調理するようになっているわけであるが、加熱コイル１３に通電が行われると渦電流が発生し保護枠２３内に収容された鍋２を加熱すると同時に防磁板２２には、防磁板２２を通過する磁界を打ち消すような渦電流が発生し、炊飯器の本体１外へ洩れる磁界を低減するような構成となっていた。
【先行技術文献】
【特許文献】
【０００６】
【特許文献１】特開２００６−２３０４３５号公報
【発明の概要】
【発明が解決しようとする課題】
【０００７】
しかしながら、前記特許文献１に記載されたような従来の炊飯器においては、防磁板２２が正規位置に取り付けられなかったり、取り付け部のがたにより加熱コイル１３と防磁板２２の間隔が変化すると、適正な加熱パワーが得られずに炊飯性能が悪化するという課題があった。また、最悪の場合、防磁板２２が、がたつき振動や異音発生の原因にもなっていた。
【０００８】
本発明は、前記従来の課題を解決するもので、防磁板と加熱コイルの間隔を一定に保ち、加熱パワーの安定化を図ると共に、がたつきにより発生する振動や異音を抑制することができる炊飯器を提供することを目的とする。
【課題を解決するための手段】
【０００９】
前記従来の課題を解決するために、本発明の炊飯器は、炊飯器本体に着脱自在に内挿可能な鍋と、前記鍋の下方部分を収容する保護枠を備え、前記鍋を誘導加熱する加熱コイルと、前記加熱コイルより発生する磁束の前記炊飯器本体外への漏洩を低減すると共に非磁性体金属にて形成された防磁板を、前記保護枠に一体成型してなるもので、加熱コイルと防磁板の間隔は一定に保つことが可能となり、鍋に安定した加熱パワーを与えることができる。また防磁板が保護枠に一体成型されることにより無駄ながたがないため、微振動や異音等も防止することができる。また、従来のように人手で保護枠に防磁板を組み込む作業がないためコスト低減にも繋がる。
【発明の効果】
【００１０】
本発明の炊飯器は、防磁板と加熱コイルの間隔を一定に保ち、加熱パワーの安定化を図ると共に、がたつきにより発生する振動や異音を抑制することができる。
【図面の簡単な説明】
【００１１】
【図１】本発明の実施の形態１における炊飯器の断面図
【図２】従来の炊飯器の断面図
【発明を実施するための形態】
【００１２】
第１の発明は、炊飯器本体に着脱自在に内挿可能な鍋と、前記鍋の下方部分を収容する保護枠を備え、前記鍋を誘導加熱する加熱コイルと、前記加熱コイルより発生する磁束の前記炊飯器本体外への漏洩を低減すると共に非磁性体金属にて形成された防磁板を、前記保護枠に一体成型してなるもので、加熱コイルと防磁板の間隔は一定に保つことが可能となり、鍋に安定した加熱パワーを与えることができる。また防磁板が保護枠に一体成型されることにより無駄ながたがないため、微振動や異音等も防止することができる。また、従来のように人手で保護枠に防磁板を組み込む作業がないためコスト低減にも繋がる。
【００１３】
以下、本発明の実施の形態について、図面を参照しながら説明する。なお、この実施の形態によって本発明が限定されるものではない。
【００１４】
（実施の形態１）
図１は、本発明の実施の形態１における炊飯器の断面図である。なお、図１において、図面を簡潔にするために、電気的接続のためのリード線等は省略してある。
【００１５】
図１において、炊飯器本体１０１（以下、「本体１０１」という）は、着脱自在の鍋１０２が収容される有底筒状の保護枠１０３を備え、鍋１０２を着脱自在に収容するようになっている。前記保護枠１０３の底部には、鍋１０２を加熱するための加熱コイル１０４が備えられ、鍋１０２を誘導加熱し、炊飯・保温を行う。
【００１６】
なお、加熱コイル１０４を用いた誘導加熱方式でなく、鋳込みヒータで鍋１０２を加熱しても良いが、誘導加熱方式の方がより高火力・高効率で鍋１０２を加熱することができることは明らかである。
【００１７】
加熱コイル１０４は、内側と外側に分割して配置した内加熱コイル１０４ａと外加熱コイル１０４ｂにより構成されている。本体１０１の後方には、加熱コイル１０４の動作を制御する制御回路１０５が配設されている。また、保護枠１０３の底部中央には、鍋１０２の底面に接触して、その温度を検知する底センサー１０６が設けられ、鍋１０２の温度を検知し、制御回路１０５へ信号を送り、加熱コイル１０４の通電量を制御し、鍋１０２の加熱量を制御することで、鍋１０２の温度を、炊飯・保温に適した温度に制御するようになっている。
【００１８】
前記保護枠１０３は、加熱コイル１０４の外方に少なくとも４個以上の複数個のフェライト１０７を略均等位置に配し、底面方向への加熱コイル１０４の磁束が漏洩するのを防ぐとともに、鍋１０２への誘導加熱を高効率に促進する働きをするようになっている。
【００１９】
さらに外加熱コイル１０４ｂの外周位置には、主にアルミニウムのような非磁性体金属で構成され、薄板の環状形状をした防磁板１０８が配置され、以上の加熱コイル１０４、フェライト１０７、防磁板１０８は、耐熱難燃樹脂で保護枠１０３が成型される際に同時に一体成型されて作られている。
【００２０】
本体１０１の上方には、鍋１０２の開口部１０２ａを覆い、ヒンジ部１０９により軸支され開閉自在の蓋体１１０が設置されている。蓋体１１０内には、鍋１０２の開口部１０２ａをシールするパッキン１１１を備え、蓋体１１０より着脱自在で、おもにステンレス等の磁性体金属で作られた加熱板１１２が備えられ、前記加熱板１１２の略中央部には、加熱板１１２に圧接して鍋１０２上部の温度を検知する蓋センサー１１３が設けられている。
【００２１】
また加熱板１１２上方には、蓋コイル１１４が設置され、前記蓋センサー１１３が加熱板１１２の温度を検知して制御回路１０５に通信を行い、蓋コイル１１４の通電制御を行い、加熱板１１２側からの加熱を行い、炊飯・保温時の鍋１０２の適温制御をおこなうようになっている。
【００２２】
また、蓋体１１０の先端には、蓋係合部１１５を設けており、閉蓋時に本体１０１の前方のフックボタン１１６と係合して、炊飯または保温中に誤って蓋体１１０が開成しないようにしている。
【００２３】
以上のように構成された本実施の形態における炊飯器の動作について説明すると、鍋１０２内に準備された米・水の調理物が、制御回路１０５の制御により炊飯工程に入る。炊飯工程は、大別して、「浸水」、「炊き上げ」、「蒸らし」の各工程に分けられ、底センサー１０６や蓋センサー１１３が各部の温度検知を行いながら、内加熱コイル１０４ａ・外加熱コイル１０４ｂや蓋コイル１１４による加熱が行われて炊飯が行われるようになっている。
【００２４】
各工程において、鍋１０２の加熱のため加熱コイル１０４から磁界が発生するが、発生した磁界は、概略上方側においては、鍋１０２を加熱するエネルギーとして使われるが、下方側や側面方向の磁界においては、本体１０１より外に放出されてしまわないように、下方側への漏洩は、フェライト１０７により防止され、側面方向への漏洩は、防磁板１０８により防止されるようになっている。
【００２５】
前記防磁板１０８と外加熱コイル１０４ｂの距離は、近すぎると鍋１０２を加熱する磁界まで吸収してしまい、遠すぎると磁束の漏洩防止に効果がなくなるので、最適の位置関係がある。発明者らはこの距離を約３０ｍｍ前後に設定している。前述した構成にあるように、防磁板１０８は、保護枠１０３に一体成型されているので、外加熱コイル１０４ａとの距離は、０．５ｍｍ以下程度の誤差で固定されて、常に最適距離が維持されるようになっているので、鍋１０２への加熱パワーが安定して得られ、かつ誘導加熱中の不要な振動等も低減される。また、従来のように、防磁板１０８を保護枠１０３に機械的に嵌合固定する工数も不要となる。
【００２６】
以上のように本実施の形態によれば、防磁板１０８と加熱コイル１０４の距離間隔を一定に保ち、加熱パワーの安定化を図ると共に、がたつきにより発生する振動や異音を抑制することが可能な炊飯器を提供することができるものである。
【産業上の利用可能性】
【００２７】
以上のように、本発明にかかる炊飯器は、加熱パワーの安定化を図ると共に、不要な振動・異音を防止することが可能となるので、その他の誘導加熱調理機器等の用途にも適用できる。
【符号の説明】
【００２８】
１０１  炊飯器本体（本体）
１０２  鍋
１０３  保護枠
１０４  加熱コイル
１０８  防磁板
【図１】
2013009883.tif 000003
【図２】
2013009883.tif 000004